(57)【要約】      （修正有）【課題】製造及び使用が簡易且つ迅速であり、製造コストを下げることができる模様転写構造を提供する。【解決手段】主に装飾層２０、熱可塑性層３０、透明層４０或いは更に保護層５０及び粘着層１０を含み、製造が簡単かつ使用寿命が延びる模様転写構造である。該装飾層の上に転写技術を使って模様を形成し、転写技術を介しゴールドプリント及び各種模様を模造した装飾層を熱可塑性層と結合する。該熱可塑性層は該装飾層の模様の上に結合する。該透明層は該熱可塑性層を覆うため、傷つきにくく、清潔を保つために拭いても模様が消えることなく、及びゴールドプリント、ゴールドめっき層に緑青現象が生じない。該保護層は可動的に該透明層の上に覆い、模様転写構造は使用する前、保護層が表面のプロテクト層となるため、運搬時或いは包装過程で傷つくのを避けることができる。【選択図】図１
0003145619.tif 000002
【実用新案登録請求の範囲】
【請求項１】
装飾層、熱可塑性層、透明層を含み、
該装飾層は各種色と模様を表し、
該熱可塑性層は該装飾層の模様の上に結合し、
該透明層は該熱可塑性層の上に覆い、熱可塑性を利用して該装飾層の転写を該透明層に結合することを特徴とする模様転写構造。
【請求項２】
前記装飾層の模様は、ゴールドプリント風、木目風、金属風、網の目風、ゴールドめっき風、のいずれかであることを特徴とする請求項1記載の模様転写構造。
【請求項３】
前記透明層は透明プラスティックの材質であることを特徴とする請求項1記載の模様転写構造。
【請求項４】
更に粘着層を含み、該粘着層は該装飾層の底面に貼合することを特徴とする請求項1記載の模様転写構造。
【請求項５】
前記粘着層は両面テープを用いることを特徴とする請求項4記載の模様転写構造。
【請求項６】
前記装飾層は該熱可塑性層の底面に固定できることを特徴とする請求項1記載の模様転写構造。
【請求項７】
更に保護層を含み、該保護層は可動的に該透明層の上を覆うことを特徴とする請求項1記載の模様転写構造。
【考案の詳細な説明】
【技術分野】
【０００１】
本考案は模様転写の構造に関し、特に転写技術を利用して、ゴールドプリント及び各種模様を模造する模様転写構造に関する。
【背景技術】
【０００２】
従来技術のゴールドプリントは伝統技術の製法で作られ、製品完成品にゴールドをプリントして図案或いは文字を形成し、最後に物品に粘着の方法で貼り付ける。これらの製法は、一般的に看板やパネル及び各種の電気製品、生活物品などの印刷フィルムに広く使われている。
【０００３】
従来技術のゴールドプリント方法で装飾の目的に達することはできるが、ゴールドプリントの模様表面は全くプロテクターがなく、空気中で自然酸化することで緑青（ろくしょう）現象が起こり、常にこれらの緑青を取り除かなければならない。清潔を保つために拭く際も、ゴールドプリントが摩擦により傷つき、剥がれることが起こりやすい。更に都会のホコリや空気汚染など、次第にこれらのゴールドプリントの看板などの表面に汚れが形成し、光沢がなくなるなど、ビジュアル的にも古い印象を与えるほか、ゴールドプリントの加工方法は面倒である上、コストがかさむ。ユーザーもコスト費用が高いゆえに、新しいものに変えたがらないなど、改善する必要があった。
【特許文献１】特開２００８−８３１４５号公報
【考案の開示】
【考案が解決しようとする課題】
【０００４】
前記公知構造の欠点を解決するため、本考案の第1の目的は、転写技術でゴールドプリント及び各種模様を模造する装飾層と熱可塑性層を結合することで、製造及び使用が簡単且つ迅速となり、製造コストを下げる模様転写構造を提供することにある。
本考案の第2の目的は、透明層を装飾層と熱可塑性層の上に覆うことで、傷つきにくく、清潔を保つために拭いても模様が消えることがない。また、ゴールドプリント、ゴールドめっき層が緑青の現象にならない模様転写構造を提供することにある。
本考案の第3の目的は、使用寿命を延ばすことができる模様転写構造を提供することにある。
【課題を解決するための手段】
【０００５】
本考案の模様転写構造は、装飾層、熱可塑性層、透明層を含み、更に保護層と粘着層を結合している。該装飾層の上に転写技術で模様を形成し、転写技術を介し、ゴールドプリント模様及び各種模様を模造した装飾層及び熱可塑性層が結合することで、製造及び使用が簡易迅速となり、製造コストを下げる。該熱可塑性層は該装飾層の模様に結合している。該透明層は該熱可塑性層の上を覆うため、傷つきにくく、清潔を保つために拭いても模様が消えることがない。また、ゴールドプリント、ゴールドめっきをしても、緑青の現象にならない。該保護層は可動的に該透明層の上にかぶせ、模様転写構造は使用する前は、保護層が表面のプロテクトとなり、運搬及びパッケージの過程で受ける傷から守る。
【０００６】
本考案の模様転写構造の該装飾層の模様は、ゴールドプリント風、木目風、金属風、及び網の目風、ゴールドめっき風のいずれかであることを特徴とする。
【０００７】
本考案の模様転写構造の透明層は、透明のプラスティック材質を用いる。
【０００８】
本考案の模様転写構造は更に粘着層を含み、該装飾層の底面に粘着している。組み合わせた模様転写構造を電気製品、文具用品、生活用品及び各種展示用パネルに貼り付ける。粘着層は両面テープとする。
【０００９】
該装飾層は該熱可塑性層の底面に固定することができる。
【００１０】
従来技術のゴールドプリント模様は保護作用がなく、緑青が生じやすく、傷つく或いは模様が拭き取られる問題があった。本考案の模様転写構造は、転写技術を使って、ゴールドプリント模様を製作し、及び各種模様を模造した装飾層と熱可塑性層を結合する。製造及び使用が便利且つ迅速だけでなく、コストが大幅下がり、耐久性に優れるなど、全体の使用寿命を延ばしている。このほか、保護層のプロテクトを介し、一般ツールを用いて清潔を保つために拭く際も、傷つかず、模様が拭き取られることがない。ゴールドプリント、ゴールドめっき装飾層を使用する際も、緑青の現象が生じない。
【考案の効果】
【００１１】
本考案は装飾層と熱可塑性層を結合することで製造及び使用が便利且つ迅速になり、コストも大幅下がり、耐久性に優れる。また、保護層を設置することでプロテクトとなり、清潔を保つために拭く際も、傷つかず、模様が拭き取られることがなく、緑青の現象も生じず、全体の使用寿命が長くなる。
【考案を実施するための最良の形態】
【００１２】
本考案の模様転写構造は、看板や電気製品、文房具、生活用品など、様々な物品と各種広告展示用のパネルに設置することができる。
【００１３】
図１及び図２に示すのは、本考案の模様転写構造(100)の第一実施例である。粘着層(10)、装飾層(20)、熱可塑性層(30)、透明層(40)を含み、更に保護層と粘着層を結合する。
【００１４】
該装飾層(20)は転写技術を使って模様を形成し、熱可塑性層(30)を使って該装飾層(20)の模様を透明層(10)の片側に転写する。該装飾層(20)の模様は転写技術で、ゴールドプリント風、木目風、金属風、及び網の目風、ゴールドめっき風の如何なる一種を形成する。
【００１５】
該熱可塑性層(30)は該装飾層(20)の模様と透明層の間に結合し、結合インターフェイスとして該熱可塑性層(30)は透明度の高い粘着材料を用いて、プラスティック材質に対し、ベストな粘着性を具有する。
【００１６】
該透明層(40)はプラスティック材質のキャリヤーであり、該熱可塑性層の上を覆い、熱可塑性を利用して、該装飾層を該透明層に転写結合する。該透明層(40)はベストな透視効果を具有することで、該装飾層(20)の模様はクリア鮮明に該透明層(40)に転写される。
【００１７】
該保護層(50)は可動的に該透明層(40)の上に覆い、模様転写構造(100)が運搬、包装など、未使用の過程で、ベストな保護が得られ、傷防止となる。
【００１８】
該粘着層(10)は該装飾層(20)の底面に粘着し、該粘着層(10)は両面テープがベストである。
【００１９】
該第一実施例の模様転写構造(100)は、装飾層(20)、熱可塑性層(30)及び透明層(40)の上に商標名(60)などの図案或いは文字をプリントする。裁断した後は図３に示すような商標名(60)の図案を構成する。使用時は該粘着層(10)の粘着作用を利用して、会社の玄関、或いは各看板、展示パネルなどに貼り付け、展示、広告の役割を果たす。
【００２０】
図４及び図５に示すのは、本考案の模様転写構造(200)の第二実施例である。粘着層(10)、装飾層(20)、熱可塑性層(30)、透明層(40)及び保護層(50)を含む。第二実施例では、該模様転写構造(200)はスピーカー(70)に転写する場合を例に挙げている。
【００２１】
該スピーカー(70)は正面装飾エリア(71)及び二つの側面装飾エリア(72)を具有する。角度の関係で、図４、図5では一つの側面装飾エリア(72)しか見えない。
【００２２】
図６に示すのは、該スピーカー(70)の正面装飾エリア(71)に設置する模様転写構造(200)である。該装飾層(20)の模様は網目を模倣した形態にすることで、一般のスピーカー(70)の網目の外観と一致する。該スピーカー(70)の側面装飾エリア(72)に設置する模様転写構造(300)は、該装飾層(20)の模様を木目風の形態にするなど、木製枠のスピーカーの質感を出す。
【００２３】
スピーカー(70)の使用条件に合致するため、正面装飾エリア(71)に設置する模様転写構造(200)は、多くのホールを具有し、スピーカーの音を出しやすくする。(図に未掲載)。
【００２４】
従来技術のゴールドプリント模様はプロテクトがなく、緑青が生じやすく、傷つき或いは拭かれてしまう問題があった。本考案の前述実施例の模様転写構造では、透明層のプロテクト効果を介し、傷つかないだけでなく、模様が拭かれる或いは緑青が生じるなどの問題がない。転写技術を利用してゴールドプリント模様、及び各種模様を模造する装飾層と熱可塑性層を結合しているため、製作上装飾層の模様に多変をもたらし、更に便利に各種製品の装飾に応用でき、手入れ交換がしやすく、材質が比較的軽いうえ、製造コストを下げることができる。
【００２５】
以上の二つの実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００２６】
【図１】本考案の第一実施例の分解立体図である。
【図２】本考案の第一実施例の組立立体図である。
【図３】本考案の第一実施例の使用略図である。図2の商標名を裁断した後の略図である。
【図４】本考案の第二実施例の分解立体図である。模様転写構造をスピーカー正面の装飾エリアに設置した略図である。
【図５】本考案の第二実施例の別の分解立体図である。模様転写構造をスピーカーの側面装飾エリアに設置した略図である。
【図６】本考案の立体図であり、模様転写構造をスピーカーの正面装飾エリア及び側面装飾エリアに設置した略図である。
【符号の説明】
【００２７】
10  粘着層
20  装飾層
30  熱可塑性層
40  透明層
50  保護層
60  商標名
70  スピーカー
71  正面装飾エリア
72  側面装飾エリア
100  模様転写構造
200  模様転写構造
300  模様転写構造
【図１】
0003145619.tif 000003
【図２】
0003145619.tif 000004
【図３】
0003145619.tif 000005
【図４】
0003145619.tif 000006
【図５】
0003145619.tif 000007
【図６】
0003145619.tif 000008